(57)【要約】【課題】  小型化を図ることができるスイッチの提供。【解決手段】  それぞれ発光体７１〜７６が底部５１ａ〜５６ａに設けられるとともに隣り合うものと区画されて配列された複数の発光体収納室５１〜５６と、各発光体収納室５１〜５６の底部５１ａ〜５６ａとは反対側にそれぞれ配置された透光可能な透光部２１〜２６とを有する表示装置１０であって、隣り合う透光部の間に、これらの内の一方の透光部に対応して設けられた発光体の他方の透光部への漏光を防止するとともに、他方の透光部に対応して設けられた発光体の一方の透光部への漏光を許容する遮光部８１〜８４が設けられている。【選択図】        図４
2006064933.tif 000002
【特許請求の範囲】
【請求項１】
それぞれ発光体が底部に設けられるとともに隣り合うものと区画されて配列された複数の発光体収納室と、
各発光体収納室の前記底部とは反対側にそれぞれ配置された透光可能な透光部とを有する表示装置であって、
隣り合う前記透光部の間に、これらの内の一方の透光部に対応して設けられた前記発光体の他方の透光部への漏光を防止するとともに、前記他方の透光部に対応して設けられた前記発光体の前記一方の透光部への漏光を許容する遮光部が設けられていることを特徴とする表示装置。
【請求項２】
前記他方の透光部に対応して設けられた前記発光体の発光時には、常に前記一方の発光体が発光状態にあることを特徴とする請求項１記載の表示装置。
【発明の詳細な説明】
【技術分野】
【０００１】
本発明は、小型化を図ることができる表示装置に関する。
【背景技術】
【０００２】
例えば、表示装置を備えた車両用空調機の操作スイッチに関して、それぞれ発光体が底部に設けられるとともに隣り合うものと区画されて配列された複数の発光体収納室を有し、各発光体収納室の底部とは反対側の開口部を閉塞させるように透光可能な透光部を有する操作ボタンを取り付けるのものがある（例えば特許文献１参照）。
【特許文献１】特開平９−１１５３７６号公報
【発明の開示】
【発明が解決しようとする課題】
【０００３】
上記のように発光体収納室をそれぞれ操作ボタンで閉塞させるようにすると、隣り合う操作ボタン同士が干渉しないように離さなければならず、操作スイッチの意匠面の面積が大きくなって大型化してしまうという問題があった。
【０００４】
したがって、本発明は、小型化を図ることができるスイッチの提供を目的とする。
【課題を解決するための手段】
【０００５】
上記目的を達成するために、請求項１に係る発明は、それぞれ発光体（例えば実施形態における発光ダイオード７１〜７６）が底部（例えば実施形態における底部５１ａ〜５６ａ）に設けられるとともに隣り合うものと区画されて配列された複数の発光体収納室（例えば実施形態における発光体収納室５１〜５６）と、各発光体収納室の前記底部とは反対側にそれぞれ配置された透光可能な透光部（例えば実施形態における透光部２１〜２６）とを有する表示装置（例えば実施形態における表示装置１０）であって、隣り合う前記透光部の間に、これらの内の一方の透光部に対応して設けられた前記発光体の他方の透光部への漏光を防止するとともに、前記他方の透光部に対応して設けられた前記発光体の前記一方の透光部への漏光を許容する遮光部（例えば実施形態における遮光部８１〜８４）が設けられていることを特徴としている。
【０００６】
請求項２に係る発明は、請求項１に係る発明において、前記他方の透光部に対応して設けられた前記発光体の発光時には、常に前記一方の発光体が発光状態にあることを特徴としている。
【発明の効果】
【０００７】
請求項１に係る発明によれば、発光体収納室の底部とは反対側に配置された透光部の隣り合うもの同士の間に遮光部を設けることになるが、この遮光部は、一方の透光部に対応して設けられた発光体の他方の透光部への漏光を防止するものの、前記他方の透光部に対応して設けられた発光体からの前記一方の透光部への漏光を許容する。このため、遮光部は、本来、前記他方の透光部側を該他方の透光部に対応する発光体収納室まで延出させ、かつ前記一方の透光部側を該一方の透光部に対応する発光体収納室まで延出させる必要があるが、前記他方の透光部側のみが前記他方の透光部に対応する発光体収納室まで延出していれば良い。よって、遮光部の前記一方の透光部側を前記他方の透光部側に寄せて幅を狭くすることが可能となる。したがって、小型化を図ることができる。
【０００８】
請求項２に係る発明によれば、前記他方の透光部に対応して設けられた発光体の発光時には、常に前記一方の発光体が発光状態にあるため、遮光部が前記他方の透光部に対応して設けられた発光体からの前記一方の透光部への漏光を許容しても、発光状態にある側に漏光するので発光状態が曖昧になることがなく良好な視認性を維持できる。
【発明を実施するための最良の形態】
【０００９】
本発明の一実施形態の表示装置を図面を参照して以下に説明する。
【００１０】
本実施形態の表示装置１０は図１および図２に示すスイッチ１１に一体に設けられるものである。スイッチ１１は、例えば車両の図１および図２に二点鎖線で示すインストルメントパネル１２に設けられるもので、図示略の温調シートの温度調整の乗員による操作入力が行われるとともに、表示装置１０によって温調シートの温度状態を表示させる。
【００１１】
スイッチ１１は、一方向に長い形状をなす略直方体形状をなしており、長さ方向を車体前後方向に沿わせた姿勢でインストルメントパネル１２の乗員側に取り付けられる。
【００１２】
スイッチ１１は、図１に示すように、略角筒状のベース部１４と、ベース部１４の長手方向の一端側に、長手方向に直交する支持軸１５を介して揺動可能に支持される揺動部１６とを有している。
【００１３】
スイッチ１１はインストルメントパネル１２に取り付けられた状態で長手方向における一端面である揺動部１６の面部１７がインストルメントパネル１２の乗員側の表面と略連続するように配置されることになり、この面部１７が乗員側に向く意匠面となっている。また、このとき、図２に示すようにスイッチ１１の面部１７はその長手方向を上下方向に沿わせて配置されることになる。以下、このインストルメントパネル１２への取付姿勢をもって説明する。また、以下の説明における前後左右は車両における前後左右である。
【００１４】
揺動部の面部１７には、図２に示すように、乗員により主に押圧される複数具体的には二カ所の操作部１９，２０が左右方向（幅方向）の一側具体的には右側の上下に設けられており、左右方向の逆側具体的に左側には、複数具体的には六カ所の透光可能な表示装置１０の透光部２１〜２６が面部１７の長さ方向つまり上下方向に直列に配列されている。なお、面部１７の操作部１９，２０の間にはシートの形状を表したシートマーク３０が記されている。また、上側の操作部１９には温度上昇を示す上向きであって赤色の三角マーク３１が記されており、下側の操作部２０には温度下降を示す下向きであって青色の三角マーク３２が記されている。
【００１５】
図３に示すように、ベース部１４における揺動部１６の操作部１９の裏側となる位置には、揺動部１６が支持軸１５を中心に操作部１９をベース部１４に近接させるように揺動すると、揺動部１６の押圧部３４で押圧されてベース部１４の方向にストロークするプッシュロッド３５と、このプッシュロッド３５を揺動部１６の方向に押圧するスプリング３６とが設けられている。また、ベース部１４における揺動部１６の操作部２０の裏側となる位置には、揺動部１６が支持軸１５を中心に操作部２０をベース部１４に近接させるように揺動すると揺動部１６の押圧部３８で押圧されてベース部１４の方向にストロークするプッシュロッド３９と、このプッシュロッド３９を揺動部１６の方向に押圧するスプリング４０とが設けられている。ここで、乗員による押圧が行われない状態では両スプリング３６，４０の付勢力によって揺動部１６は両揺動方向の中央となる中立位置に保持される。
【００１６】
そして、ベース部１４の各プッシュロッド３５，３９の揺動部１６とは反対側には、基板４１がスイッチ１１の長手方向に直交する姿勢で配設されている。この基板４１における各プッシュロッド３５，３９に対向する位置には、接点４２，４３が設けられている。
【００１７】
接点４２は、基板４１に取り付けられてプッシュロッド３６に当接する弾性部４５と、弾性部４５のプッシュロッド３６とは反対側に基板４１から離間して設けられた導通部４６と、基板４１に導通部４６と対向するように形成された通電切替部４７とを有している。同様に、接点４３は、基板４１に取り付けられてプッシュロッド３９に当接する弾性部４８と、弾性部４８のプッシュロッド３９とは反対側に基板４１から離間して設けられた導通部４９と、基板４１に導通部４９と対向するように形成された通電切替部５０とを有している。
【００１８】
接点４２は、操作部１９が押圧されることにより揺動部１６が操作部１９をベース部１４に近接させるように揺動し、この揺動によって押圧部３４で押圧されてストロークするプッシュロッド３５で押されて弾性部４５が変形し導通部４６が通電切替部４７に接触すると、この通電切替部４７が通電状態となる。一方、操作部１９への押圧が解除され、揺動部１６がスプリング３６の付勢力でプッシュロッド３５を介して中立位置に戻されると、弾性部４５も弾性力で元に戻り導通部４６が通電切替部４７から離間して通電切替部４７が非通電状態となる。
【００１９】
接点４３も、操作部２０が押圧されることにより揺動部１６が操作部２０をベース部１４に近接させるように揺動し、この揺動によって押圧部３８で押圧されてストロークするプッシュロッド３９で押されて弾性部４８が変形し導通部４９が通電切替部５０に接触すると、この通電切替部５０が通電状態となる。一方、操作部２０への押圧が解除され、揺動部１６がスプリング４０の付勢力でプッシュロッド３９を介して中立位置に戻されると、弾性部４８も弾性力で元に戻り導通部４９が通電切替部５０から離間して通電切替部５０が非通電状態となる。
【００２０】
図４に示すように、ベース部１４における揺動部１６の透光部２１〜２６の裏側となる位置には、各透光部２１〜２６と個別に対応するように配列された複数具体的には六カ所の発光体収納室５１〜５６が隣り合うものと区画されて形成されている。つまり、ベース部１４は、一対の側壁部５８（図６において一方のみ図示）と、これら側壁部５８に直交してこれら側壁部５８間に六カ所の発光体収納室５１〜５６を形成する七カ所の仕切壁部６０〜６６とを有している。
【００２１】
これにより、すべての発光体収納室５１〜５６はスイッチ１１の長手方向に延在しており、各発光体収納室５１〜５６のスイッチ１１の長手方向側に個別に対応して透光部２１〜２６が形成されている。また、すべての発光体収納室５１〜５６は、透光部２１〜２６とは反対側となる底部５１ａ〜５６ａが基板４１で構成されており、基板４１の各発光体収納室５１〜５６の底部５１ａ〜５６ａとなる位置には、発光ダイオード（発光体）７１〜７６が設けられている。つまり、発光体収納室５１〜５６はそれぞれ発光ダイオード７１〜７６が底部５１ａ〜５６ａに設けられている。詳しくは、発光体収納室５１に対し、透光部２１が形成されるとともに底部５１ａに発光ダイオード７１が設けられ、発光体収納室５２に対し、透光部２２が形成されるとともに底部５２ａに発光ダイオード７２が設けられ、発光体収納室５３に対し、透光部２３が形成されるとともに底部５３ａに発光ダイオード７３が設けられ、発光体収納室５４に対し、透光部２４が形成されるとともに底部５４ａに発光ダイオード７４が設けられ、発光体収納室５５に対し、透光部２５が形成されるとともに底部５５ａに発光ダイオード７５が設けられ、発光体収納室５６に対し、透光部２６が形成されるとともに底部５６ａに発光ダイオード７６が設けられている。発光ダイオード７１〜７６を含む発光体収納室５１〜５６も本実施形態の表示装置１０を構成している。
【００２２】
上記のように各発光体収納室５１〜５６のスイッチ１１の長手方向側に個別に対応して透光部２１〜２６が形成されていることから、各発光体収納室５１〜５６の底部５１ａ〜５６ａとは反対側に各透光部２１〜２６がそれぞれ配置されている。なお、各透光部２１〜２６はスイッチ１１の長さ方向の延長位置に設けられた個別に対応する発光ダイオード７１〜７６からの光を主体的に透過させるようになっている。ここで、発光ダイオード７１〜７６は温調シートの温度状態を示すものであり、下側の三つが低温を示す青色に、上側の三つが高温を示す赤色に発光する。
【００２３】
ここで、このスイッチ１１は、操作部１９への押圧操作と操作部２０への押圧操作との関係で表示装置１０が発光ダイオード７１〜７６の発光パターンを図５に示すように切り替える。
【００２４】
例えば、図５に（ａ）で示すように上から三番目の発光ダイオード７３のみが発光した状態から（図５においては発光しているものにハッチングを施している）、上側の操作部１９が一回押圧操作されると上側の接点４２が通電状態となり、これにより図示せぬ温調シートがシートの温度を所定温度上げるとともに、表示装置１０が図５に（ｂ）で示すように上から三番目の発光ダイオード７３および上から二番目の発光ダイオード７２の二つのみを発光させる状態となる。
【００２５】
この状態から、上側の操作部１９が一回押圧操作されると上側の接点４２が通電状態となり、これにより図示せぬ温調シートがシートの温度を所定温度上げるとともに、表示装置１０が図５に（ｃ）で示すように上から三番目の発光ダイオード７３、上から二番目の発光ダイオード７２および一番上の発光ダイオード７１の三つのみを発光させる状態となる。なお、この状態では最もシート温度が高く設定されるため、それ以上、上側の操作部１９が押圧操作されても無効となる。
【００２６】
この状態から、下側の操作部２０が一回押圧操作されると下側の接点４３が通電状態となり、これにより図示せぬ温調シートがシートの温度を所定温度下げるとともに、表示装置１０が図５に（ｄ）で示すように上から三番目の発光ダイオード７３および上から二番目の発光ダイオード７２の二つのみを発光させる状態となる。
【００２７】
この状態から、下側の操作部２０が一回押圧操作されると下側の接点４３が通電状態となり、これにより図示せぬ温調シートがシートの温度を所定温度下げるとともに、表示装置１０が図５に（ｅ）で示すように上から三番目の発光ダイオード７３のみを発光させる状態となる。
【００２８】
この状態から、下側の操作部２０が一回押圧操作されると下側の接点４３が通電状態となり、これにより図示せぬ温調シートがシートの温度を所定温度下げるとともに、表示装置１０が図５に（ｆ）で示すように下から三番目の発光ダイオード７４のみを発光させる状態となる。
【００２９】
この状態から、下側の操作部２０が一回押圧操作されると下側の接点４３が通電状態となり、これにより図示せぬ温調シートがシートの温度を所定温度下げるとともに、表示装置１０が図５に（ｇ）で示すように下から三番目の発光ダイオード７４および下から二番目の発光ダイオード７５の二つのみを発光させる状態となる。
【００３０】
この状態から、下側の操作部２０が一回押圧操作されると下側の接点４３が通電状態となり、これにより図示せぬ温調シートがシートの温度を所定温度下げるとともに、表示装置１０が図５に（ｈ）で示すように下から三番目の発光ダイオード７４、下から二番目の発光ダイオード７５および一番下の発光ダイオード７６の三つのみを発光させる状態となる。なお、この状態では最もシート温度が低く設定されるため、それ以上、下側の操作部２０が押圧操作されても無効となる。
【００３１】
この状態から、上側の操作部１９が一回押圧操作されると上側の接点４２が通電状態となり、これにより図示せぬ温調シートがシートの温度を所定温度上げるとともに、表示装置１０が図５に（ｉ）で示すように下から三番目の発光ダイオード７４および下から二番目の発光ダイオード７５の二つのみを発光させる状態となる。
【００３２】
この状態から、上側の操作部１９が一回押圧操作されると上側の接点４２が通電状態となり、これにより図示せぬ温調シートがシートの温度を所定温度上げるとともに、表示装置１０が図５に（ｊ）で示すように下から三番目の発光ダイオード７４のみを発光させる状態となる。
【００３３】
この状態から、上側の操作部１９が一回押圧操作されると上側の接点４２が通電状態となり、これにより図示せぬ温調シートがシートの温度を所定温度上げるとともに、表示装置１０が図５に（ａ）で示すように上から三番目の発光ダイオード７３のみを発光させる状態となる。
【００３４】
図４に示すように、揺動部１６の中央の二つの透光部２３，２４の間位置には、これらのうちの一方の透光部２３に対応して設けられた発光体収納室５３の発光ダイオード７３の他方の透光部２４への漏光を防止するとともに、他方の透光部２４に対応して設けられた発光体収納室５４の発光ダイオード７４の一方の透光部２３への漏光をも防止する遮光部８０が設けられている。
【００３５】
具体的に、この遮光部８０は上側の透光部２３の側から上側の発光体収納室５３内まで延出する延出壁部８０ａと、下側の透光部２４の側から下側の発光体収納室５４内まで延出する延出壁部８０ｂと、これらの基端側同士を連結させる連結部８０ｃとを有している。
【００３６】
そして、本実施形態においては、揺動部１６の中央の二つの透光部２３，２４の間位置を除く残りすべての間位置には、これらの内の一方の透光部に対応して設けられた発光体収納室の発光ダイオードの他方の透光部への漏光を防止するとともに、前記他方の透光部に対応して設けられた発光体収納室の発光ダイオードの前記一方の透光部への漏光を許容する遮光部８１〜８４が設けられている。ここで、遮光部８０〜８４の隣り合うもの同士の隙間には透光性樹脂材料で中間透光部９１〜９６が形成されている。そして、透光部２１と位置が合う透光性樹脂材料からなる中間透光部９１は透光部２１および発光体収納部５１を結ぶ光路を形成することになり、透光部２２と位置が合う中間透光部９２は透光部２２および発光体収納部５２を結ぶ光路を、透光部２３と位置が合う中間透光部９３は透光部２３および発光体収納部５３を結ぶ光路を、透光部２４と位置が合う中間透光部９４は透光部２４および発光体収納部５４を結ぶ光路を、透光部２５と位置が合う中間透光部９５は透光部２５および発光体収納部５５を結ぶ光路を、透光部２６と位置が合う中間透光部９６は透光部２６および発光体収納部５６を結ぶ光路をそれぞれ構成する。
【００３７】
ここで、遮光部８１〜８４が設けられる位置は、前記他方の透光部に対応して設けられた発光ダイオードの発光時には、常に前記一方の発光体が発光状態にある位置となっている。つまり、上記発光パターンから最も上側の発光ダイオード７１が発光する際には上から二番目の発光ダイオード７２が常に発光状態にあり、揺動部１６のこれらにそれぞれ対応する最も上側の透光部２１と上から二番目の透光部２２との間位置には、上から二番目の透光部２２に対応して設けられた上から二番目の発光体収納室５２の発光ダイオード７２の最も上側の透光部２１への漏光を防止するとともに、最も上側の透光部２１に対応して設けられた最も上側の発光体収納室５１の発光ダイオード７１の上から二番目の透光部２２への漏光を許容する遮光部８１が設けられている。
【００３８】
具体的に、この遮光部８１は最も上側の透光部２１の側から最も上側の発光体収納室５１内まで延出する延出壁部８１ａと、上から二番目の透光部２２の側から、最も上側の発光体収納室５１と上から二番目の発光体収納室５２との間を仕切る仕切壁部６１に上下方向の位置を合わせてその手前まで延出する中途延出壁部８１ｂと、これらの基端側同士を連結させる連結部８１ｃとを有している。そして、上から二番目の発光ダイオード７２の最も上側の透光部２１への光が主として延出壁部８１ａで遮光されるとともに、最も上側の発光ダイオード７１の上から二番目の透光部２２への光は中途延出壁部８１ｂと仕切壁部６１との隙間を介して許容される。なお、中途延出壁部８１ｂと仕切壁部６１との上下方向の位置を合わせても、これらの間に隙間があることによって図６に示す揺動部１６の揺動時にこれらが干渉することがない。
【００３９】
また、上記発光パターンから上から二番目の発光ダイオード７２が発光する際には上から三番目の発光ダイオード７３が常に発光状態にあり、揺動部１６のこれらにそれぞれ対応する上から二番目の透光部２２と上から三番目の透光部２３との間位置には、上から三番目の透光部２３に対応して設けられた上から三番目の発光体収納室５３の発光ダイオード７３の上から二番目の透光部２２への漏光を防止するとともに、上から二番目の透光部２２に対応して設けられた上から二番目の発光体収納室５２の発光ダイオード７２の上から三番目の透光部２３への漏光を許容する遮光部８２が設けられている。
【００４０】
具体的に、この遮光部８２は上から二番目の透光部２２の側から上から二番目の発光体収納室５２内まで延出する延出壁部８２ａと、上から三番目の透光部２３の側から、上から二番目の発光体収納室５２と上から三番目の発光体収納室５３との間を仕切る壁部６２に上下方向の位置を合わせてその手前まで延出する中途延出壁部８２ｂと、これらの基端側同士を連結させる連結部８２ｃとを有している。そして、上から三番目の発光ダイオード７３の上から二番目の透光部２２への光が主として延出壁部８２ａで遮光されるとともに、上から二番目の発光ダイオード７２の上から三番目の透光部２３への光は中途延出壁部８２ｂと仕切壁部６２との隙間を介して許容される。なお、中途延出壁部８２ｂと仕切壁部６２との上下方向の位置を合わせても、これらの間に隙間があることによって図６に示す揺動部１６の揺動時にこれらが干渉することがない。
【００４１】
さらに、上記発光パターンから最も下側の発光ダイオード７６が発光する際には下から二番目の発光ダイオード７５が常に発光状態にあり、揺動部１６のこれらにそれぞれ対応する最も下側の透光部２６と下から二番目の透光部２５との間位置には、下から二番目の透光部２５に対応して設けられた下から二番目の発光体収納室５５の発光ダイオード７５の最も下側の透光部２６への漏光を防止するとともに、最も下側の透光部２６に対応して設けられた最も下側の発光体収納室５６の発光ダイオード７６の下から二番目の透光部２５への漏光を許容する遮光部８３が設けられている。
【００４２】
具体的に、この遮光部８３は最も下側の透光部２６の側から最も下側の発光体収納室５６内まで延出する延出壁部８３ａと、下から二番目の透光部２５の側から、最も下側の発光体収納室５６と下から二番目の発光体収納室５５との間を仕切る壁部６５に上下方向の位置を合わせてその手前まで延出する中途延出壁部８３ｂと、これらの基端側同士を連結させる連結部８３ｃとを有している。そして、下から二番目の発光ダイオード７５の最も下側の透光部２６への光が主として延出壁部８３ａで遮光されるとともに、最も下側の発光ダイオード７６の下から二番目の透光部２５への光は中途延出壁部８３ｂと仕切壁部６５との隙間を介して許容される。なお、中途延出壁部８３ｂと仕切壁部６５との上下方向の位置を合わせても、これらの間に隙間があることによって揺動部１６の揺動時にこれらが干渉することがない。
【００４３】
加えて、上記発光パターンから下から二番目の発光ダイオード７５が発光する際には下から三番目の発光ダイオード７４が常に発光状態にあり、揺動部１６のこれらにそれぞれ対応する下から二番目の透光部２５と下から三番目の透光部２４との間位置には、下から三番目の透光部２４に対応して設けられた下から三番目の発光体収納室５４の発光ダイオード７４の下から二番目の透光部２５への漏光を防止するとともに、下から二番目の透光部２５に対応して設けられた下から二番目の発光体収納室５５の発光ダイオード７５の下から三番目の透光部２４への漏光を許容する遮光部８４が設けられている。
【００４４】
具体的に、この遮光部８４は下から二番目の透光部２５の側から下から二番目の発光体収納室５５内まで延出する延出壁部８４ａと、下から三番目の透光部２４の側から、下から二番目の発光体収納室５５と下から三番目の発光体収納室５４との間を仕切る壁部６４に上下方向の位置を合わせてその手前まで延出する中途延出壁部８４ｂと、これらの基端側同士を連結させる連結部８４ｃとを有している。そして、下から三番目の発光ダイオード７４の下から二番目の透光部２５への光が主として延出壁部８４ａで遮光されるとともに、下から二番目の発光ダイオード７５の下から三番目の透光部２４への光は中途延出壁部８４ｂと仕切壁部６４との隙間を介して許容される。なお、中途延出壁部８４ｂと仕切壁部６４との上下方向の位置を合わせても、これらの間に隙間があることによって揺動部１６の揺動時にこれらが干渉することがない。すべての遮光部８１〜８４も本実施形態の表示装置１０を構成している。
【００４５】
以上に述べた本実施形態の表示装置１０によれば、発光体収納室５１〜５６のそれぞれの底部５１ａ〜５６ａとは反対側に配置された透光部２１〜２６の隣り合うもの同士の間に遮光部８０〜８４を設けることになるが、例えば、最も上側の透光部２１と上から二番目の透光部２２との間の遮光部８１は、上から二番目の透光部２２に対応して設けられた上から二番目の発光ダイオード７２の最も上側の透光部２１への漏光を防止するものの、最も上側の透光部２１に対応して設けられた最も上側の発光ダイオード７１からの上から二番目の透光部２２への漏光を許容する。このため、この遮光部８１は、本来、最も上側の透光部２１側をこれに対応する最も上側の発光体収納室５１まで延出させ、かつ上から二番目の透光部２２側をこれに対応する上から二番目の発光体収納室５２まで延出させる必要があるが、最も上側の透光部２１側のみがこれに対応する最も上側の発光体収納室５１まで延出していれば良い。よって、この遮光部８１における上から二番目の透光部２２側を最も上側の透光部２１側に寄せて幅を狭くすることができる。同様に、上から二番目の透光部２２と上から三番目の透光部２３との間の遮光部８２を、この遮光部８２における上から三番目の透光部２３側を上から二番目の透光部２２側に寄せて幅を狭くすることができる。同様に、最も下側の透光部２６と下から二番目の透光部２５との間の遮光部８３を、この遮光部８３における下から二番目の透光部２５側を最も下側の透光部２６側に寄せて幅を狭くすることができる。同様に、下から二番目の透光部２５と下から三番目の透光部２４との間の遮光部８４を、この遮光部８４における下から三番目の透光部２４側を下から二番目の透光部２５側に寄せて幅を狭くすることができる。したがって、小型化を図ることができる。
【００４６】
また、例えば、最も上側の透光部２１と上から二番目の透光部２２との間の遮光部８１が、最も上側の透光部２１に対応して設けられた最も上側の発光ダイオード７１からの上から二番目の透光部２２への漏光を許容するようにしても、発光ダイオード７１の発光時には、常に上から二番目の発光ダイオード７２が発光状態にあるため、発光状態にある側に漏光することになり発光状態が曖昧になることがなく良好な視認性を維持できる。同様に、上から二番目の透光部２２と上から三番目の透光部２３との間の遮光部８２が、上から二番目の透光部２２に対応して設けられた上から二番目の発光ダイオード７２からの上から三番目の透光部２３への漏光を許容するようにしても、発光ダイオード７２の発光時には、常に上から三番目の発光ダイオード７３が発光状態にあるため、発光状態にある側に漏光することになり良好な視認性を維持できる。同様に、最も下側の透光部２６と下から二番目の透光部２５との間の遮光部８３が、最も下側の透光部２６に対応して設けられた最も下側の発光ダイオード７６からの下から二番目の透光部２５への漏光を許容するようにしても、発光ダイオード７６の発光時には、常に下から二番目の発光ダイオード７５が発光状態にあるため、発光状態にある側に漏光することになり良好な視認性を維持できる。同様に、下から二番目の透光部２５と下から三番目の透光部２４との間の遮光部８４が、下から二番目の透光部２５に対応して設けられた下から二番目の発光ダイオード７５からの下から三番目の透光部２４への漏光を許容するようにしても、発光ダイオード７５の発光時には、常に下から三番目の発光ダイオード７４が発光状態にあるため、発光状態にある側に漏光することになり良好な視認性を維持できる。
【図面の簡単な説明】
【００４７】
【図１】本発明の一実施形態の表示装置を含むスイッチを示す側面図である。
【図２】本発明の一実施形態の表示装置を含むスイッチを示す正面図である。
【図３】本発明の一実施形態の表示装置を含むスイッチの操作部側の側断面図である。
【図４】本発明の一実施形態の表示装置を含むスイッチの表示装置側の側断面図である。
【図５】本発明の一実施形態の表示装置の各発光パターンを示す図である。
【図６】本発明の一実施形態の表示装置を含むスイッチにおける揺動部の揺動時の表示装置側の側断面図である。
【符号の説明】
【００４８】
１０  表示装置
２１〜２６  透光部
５１〜５６  発光体収納室
５１ａ〜５６ａ  底部
７１〜７６  発光ダイオード（発光体）
８１〜８４  遮光部
【図１】
2006064933.tif 000003
【図２】
2006064933.tif 000004
【図３】
2006064933.tif 000005
【図４】
2006064933.tif 000006
【図５】
2006064933.tif 000007
【図６】
2006064933.tif 000008